(57)【要約】【課題】暗号化パスワードを通知する手間を減らすことが可能な画像読み取り装置を提供する。【解決手段】原稿画像１００を読み取り、原稿画像１００に対応する画像データを生成する画像読み取り部２００と、画像データの送信先をデータ送信先として設定するデータ送信先設定部２１０と、画像データの暗号化に使用するパスワード文字列１２０を設定するパスワード設定部２２０と、パスワード文字列１２０の通知先をパスワード通知先として設定するパスワード通知先設定部２３０と、パスワード文字列１２０を用いて画像データを暗号化し、暗号化データ１３０を生成する暗号化データ生成部２４０と、暗号化データ１３０をデータ送信先に送信する暗号化データ送信部２５０と、パスワード文字列１２０をパスワード通知先に通知するパスワード通知部２６０とを有する画像読み取り装置１１０が提供される。【選択図】図２
2007235716.tif 000002
【特許請求の範囲】
【請求項１】
原稿画像を読み取り、前記原稿画像に対応する画像データを生成する画像読み取り部と、
前記画像データの送信先をデータ送信先として設定するデータ送信先設定部と、
前記画像データの暗号化に使用するパスワード文字列を設定するパスワード設定部と、
前記パスワード文字列の通知先をパスワード通知先として設定するパスワード通知先設定部と、
前記パスワード文字列を用いて前記画像データを暗号化し、暗号化データを生成する暗号化データ生成部と、
前記暗号化データを前記データ送信先に送信する暗号化データ送信部と、
前記パスワード文字列を前記パスワード通知先に通知するパスワード通知部と、
を有することを特徴とする画像読み取り装置。
【請求項２】
請求項１に記載の画像読み取り装置において、
前記パスワード設定部は、ユーザが入力した文字列をパスワード文字列として設定する、
ことを特徴とする画像読み取り装置。
【請求項３】
請求項１に記載の画像読み取り装置において、
前記パスワード設定部は、ランダムに文字列を生成し、生成された文字列をパスワード文字列として設定する、
ことを特徴とする画像読み取り装置。
【請求項４】
請求項３に記載の画像読み取り装置において、
前記パスワード設定部は、ユーザが入力した文字列長をパスワード文字列長として設定する、
ことを特徴とする画像読み取り装置。
【請求項５】
請求項１〜４のいずれかに記載の画像読み取り装置において、
前記データ送信先設定部は、前記データ送信先に加えて、前記暗号化データ生成時に使用する暗号化強度と、前記暗号化データに対するアクセス権限とを設定する、
ことを特徴とする画像読み取り装置。
【請求項６】
請求項１〜５のいずれかに記載の画像読み取り装置において、
前記パスワード通知部は、前記パスワード文字列を前記パスワード通知先に通知する前に該パスワード文字列に対して暗号化処理を行う、
ことを特徴とする画像読み取り装置。
【請求項７】
請求項１〜６のいずれかに記載の画像読み取り装置において、
前記パスワード通知部は、
前記データ送信先が電子メールアドレスの場合は、前記パスワード文字列を前記データ送信先に送信する、
ことを特徴とする画像読み取り装置。
【請求項８】
請求項１〜７のいずれかに記載の画像読み取り装置において、
前記パスワード文字列を記憶するパスワード記憶部と、
前記パスワード記憶部に記憶されている前記パスワード文字列を出力するパスワード文字列出力部と、
をさらに備え、
前記パスワード通知部は、前記パスワード文字列の通知に失敗した場合、該パスワード文字列を前記パスワード記憶部に記憶する、
ことを特徴とする画像読み取り装置。
【請求項９】
請求項１〜５のいずれかに記載の画像読み取り装置において、
前記パスワード文字列を記憶するパスワード記憶部と、
前記パスワード記憶部に記憶されている前記パスワード文字列を出力するパスワード文字列出力部と
をさらに備え、
前記パスワード通知部は、前記パスワード文字列を前記パスワード記憶部に記憶する、
ことを特徴とする画像読み取り装置。
【請求項１０】
原稿画像を読み取り、前記原稿画像に対応する画像データを生成する画像読み取り工程と、
前記画像データの送信先をデータ送信先として設定するデータ送信先設定工程と、
前記画像データの暗号化に使用するパスワード文字列を設定するパスワード設定工程と、
前記パスワード文字列の通知先をパスワード通知先として設定するパスワード通知先設定工程と、
前記パスワード文字列を用いて前記画像データを暗号化し、暗号化データを生成する暗号化データ生成工程と、
前記暗号化データを前記データ送信先に送信する暗号化データ送信工程と、
前記パスワード文字列を前記パスワード通知先に通知するパスワード通知工程と、
を有することを特徴とする画像読み取り方法。
【請求項１１】
原稿画像を読み取り、前記原稿画像に対応する画像データを生成する画像読み取り工程と、
前記画像データの送信先をデータ送信先として設定するデータ送信先設定工程と、
前記画像データの暗号化に使用するパスワード文字列を設定するパスワード設定工程と、
前記パスワード文字列の通知先をパスワード通知先として設定するパスワード通知先設定工程と、
前記パスワード文字列を用いて前記画像データを暗号化し、暗号化データを生成する暗号化データ生成工程と、
前記暗号化データを前記データ送信先に送信する暗号化データ送信工程と、
前記パスワード文字列を前記パスワード通知先に通知するパスワード通知工程と、
をコンピュータに行わせるための、コンピュータプログラム。 
【発明の詳細な説明】
【技術分野】
【０００１】
本発明は、画像読み取り装置、画像読み取り方法およびコンピュータプログラムに係り、特に、原稿画像を読み取り、その原稿画像に対応する画像データを生成し任意の宛先に送信する画像読み取り装置、画像読み取り方法およびコンピュータプログラムに関する。
【背景技術】
【０００２】
従来、読み取った原稿画像から画像データを生成し任意の宛先に送信する複合機が知られている。上記複合機は、画像データを送信する際、原稿を所有するユーザによって入力されたパスワードを用いて上記画像データを暗号化し、暗号化データを生成することができる。そして、上記暗号化データは、原稿を所有するユーザが管理するパスワードを用いて復号化することができる。
【０００３】
【特許文献１】特開２００３−８７４５８号公報
【発明の開示】
【発明が解決しようとする課題】
【０００４】
しかし、上記暗号化データを複数のユーザ（以下、受信ユーザと称する）に送信する場合、その暗号化データの生成に用いたパスワードを受信ユーザに別途、電話またはメールで連絡する必要があり手間がかかる問題があった。
【０００５】
本発明は、上記問題に鑑みてなされたものであり、本発明の目的とするところは、上記パスワードを通知する手間を減らすことが可能な、新規かつ改良された画像読み取り装置、画像読み取り方法およびコンピュータプログラムを提供することにある。
【課題を解決するための手段】
【０００６】
本発明の第１の観点によれば、原稿画像を読み取り、上記原稿画像に対応する画像データを生成する画像読み取り部と、上記画像データの送信先をデータ送信先として設定するデータ送信先設定部と、上記画像データの暗号化に使用するパスワード文字列を設定するパスワード設定部と、上記パスワード文字列の通知先をパスワード通知先として設定するパスワード通知先設定部と、上記パスワード文字列を用いて上記画像データを暗号化し、暗号化データを生成する暗号化データ生成部と、上記暗号化データを上記データ送信先に送信する暗号化データ送信部と、上記パスワード文字列を上記パスワード通知先に通知するパスワード通知部とを有することを特徴とする画像読み取り装置が提供される。
【０００７】
上記パスワード設定部は、ユーザが入力した文字列をパスワード文字列として設定することができる。
【０００８】
上記パスワード設定部は、ランダムに文字列を生成し、生成された文字列をパスワード文字列として設定することができる。
【０００９】
上記パスワード設定部は、ユーザが入力した文字列長をパスワード文字列長として設定することができる。
【００１０】
上記データ送信先設定部は、上記データ送信先に加えて、上記暗号化データ生成時に使用する暗号化強度と、上記暗号化データに対するアクセス権限とを設定することができる。
【００１１】
上記パスワード通知部は、上記パスワード文字列を上記パスワード通知先に通知する前に該パスワード文字列に対して暗号化処理を行うことができる。
【００１２】
上記パスワード通知部は、上記データ送信先が電子メールアドレスの場合は、上記パスワード文字列を上記データ送信先に送信することができる。
【００１３】
上記画像読み取り装置は、上記パスワード文字列を記憶するパスワード記憶部と、上記パスワード記憶部に記憶されている上記パスワード文字列を出力するパスワード文字列出力部とをさらに備えることができる。そして、上記パスワード通知部は、上記パスワード文字列の通知に失敗した場合、該パスワード文字列を上記パスワード記憶部に記憶することができる。
【００１４】
上記画像読み取り装置は、上記パスワード文字列を記憶するパスワード記憶部と、上記パスワード記憶部に記憶されている上記パスワード文字列を出力するパスワード文字列出力部とをさらに備えることができる。そして、上記パスワード通知部は、上記パスワード文字列を上記パスワード記憶部に記憶することができる。
【００１５】
本発明の第２の観点によれば、原稿画像を読み取り、上記原稿画像に対応する画像データを生成する画像読み取り工程と、上記画像データの送信先をデータ送信先として設定するデータ送信先設定工程と、上記画像データの暗号化に使用するパスワード文字列を設定するパスワード設定工程と、上記パスワード文字列の通知先をパスワード通知先として設定するパスワード通知先設定工程と、上記パスワード文字列を用いて上記画像データを暗号化し、暗号化データを生成する暗号化データ生成工程と、上記暗号化データを上記データ送信先に送信する暗号化データ送信工程と、上記パスワード文字列を上記パスワード通知先に通知するパスワード通知工程とを有することを特徴とする画像読み取り方法が提供される。
【００１６】
本発明の第３の観点によれば、原稿画像を読み取り、上記原稿画像に対応する画像データを生成する画像読み取り工程と、上記画像データの送信先をデータ送信先として設定するデータ送信先設定工程と、上記画像データの暗号化に使用するパスワード文字列を設定するパスワード設定工程と、上記パスワード文字列の通知先をパスワード通知先として設定するパスワード通知先設定工程と、上記パスワード文字列を用いて上記画像データを暗号化し、暗号化データを生成する暗号化データ生成工程と、上記暗号化データを上記データ送信先に送信する暗号化データ送信工程と、上記パスワード文字列を上記パスワード通知先に通知するパスワード通知工程とをコンピュータに行わせるためのコンピュータプログラムが提供される。さらに本発明によれば、上記コンピュータプログラムを記録した記録媒体が提供される。
【発明の効果】
【００１７】
以上説明したように本発明によれば、暗号化データを任意の宛先に送信する際に上記暗号化データ生成に用いたパスワードを任意の通知先に通知することによって、上記パスワードを通知する手間を減らすことができる。
【発明を実施するための最良の形態】
【００１８】
以下に添付図面を参照しながら、本発明の好適な実施の形態について詳細に説明する。なお、本明細書及び図面において、実質的に同一の機能構成を有する構成要素については、同一の符号を付して重複説明を省略する。
【００１９】
（実施形態）
まず、本発明の実施形態にかかる画像読み取り装置１１０について説明する。
【００２０】
図１は、本実施形態にかかる画像読み取りシステム１０の構成を示す説明図である。
【００２１】
画像読み取りシステム１０は、画像読み取り装置１１０（本実施形態では、複合機）と、ＳＭＴＰ（Ｓｉｍｐｌｅ  Ｍａｉｌ  Ｔｒａｎｓｆｅｒ  Ｐｒｏｔｏｃｏｌ）サーバ１４０と、ＳＳＬ（Ｓｅｃｕｒｅ  Ｓｏｃｋｅｔ  Ｌａｙｅｒ）サーバ１５０と、ＦＴＰ（Ｆｉｌｅ  Ｔｒａｎｓｆｅｒ  Ｐｒｏｔｏｃｏｌ）サーバ１６０と、ＳＭＢ（Ｓｅｒｖｅｒ  Ｍｅｓｓａｇｅ  Ｂｌｏｃｋ）サーバ１７０とを有する。
【００２２】
画像読み取り装置１１０は、ネットワークを介してＳＭＴＰサーバ１４０、ＳＳＬサーバ１５０、ＦＴＰサーバ１６０、ＳＭＢサーバ１７０に接続される。
【００２３】
画像読み取り装置１１０は、原稿画像１００を読み取り、原稿画像１００に対応する画像データを生成する。そして、画像読み取り装置１１０は、上記画像データを暗号化し、暗号化データ１３０を作成する。
【００２４】
画像読み取り装置１１０は、暗号化データ１３０をＦＴＰサーバ１６０またはＳＭＢサーバ１７０に送信する。また、画像読み取り装置１１０は、画像データの暗号化に使用したパスワード文字列１２０を、暗号化メールに含めてＳＭＴＰサーバ１４０に送信するか、またはＳＳＬ通信によってＳＳＬサーバ１５０に送信する。
【００２５】
図２は、本発明の実施形態にかかる画像読み取り装置１１０の構成を示す説明図である。
【００２６】
画像読み取り装置１１０は、画像読み取り部２００、データ送信先設定部２１０、パスワード設定部２２０、パスワード通知先設定部２３０、暗号化データ生成部２４０、暗号化データ送信部２５０、パスワード通知部２６０、パスワード記憶部２７０、パスワード文字列出力部２８０、プリンタエンジン２９０、操作パネル３００、およびネットワークＩ／Ｆ（ＩｎｔｅｒＦａｃｅ）３１０を有する。
【００２７】
画像読み取り部２００は、原稿画像を読み取り、その原稿画像に対応する画像データを生成する。具体的には、画像読み取り部２００は、原稿の画像を光学的に読み取るスキャナである。
【００２８】
データ送信先設定部２１０は、画像データの送信先をデータ送信先として設定する。本実施形態では、データ送信先の設定は、操作パネル３００へのユーザ入力によって行う。
【００２９】
パスワード設定部２２０は、画像データの暗号化に使用するパスワード文字列を設定する。
【００３０】
パスワード通知先設定部２３０は、パスワード文字列の通知先をパスワード通知先として設定する。本実施形態では、パスワード通知先の設定は、操作パネル３００へのユーザ入力によって行う。
【００３１】
暗号化データ生成部２４０は、パスワード設定部２２０で設定したパスワード文字列を用いて画像データを暗号化し、暗号化データを生成する。
【００３２】
暗号化データ送信部２５０は、暗号化データ生成部２４０で生成した暗号化データをデータ送信先（本実施形態では、ＦＴＰサーバ１６０またはＳＭＢサーバ１７０）にネットワークＩ／Ｆ３１０を介して送信する。
【００３３】
パスワード通知部２６０は、パスワード設定部２２０で設定したパスワード文字列をパスワード通知先（本実施形態では、ＳＭＴＰサーバ１４０、ＳＳＬサーバ１５０、またはパスワード記憶部２７０）に通知する。
【００３４】
パスワード記憶部２７０は、パスワード通知部２６０から通知されたパスワード文字列を記憶する。
【００３５】
パスワード文字列出力部２８０は、パスワード記憶部２７０に記憶されているパスワード文字列を出力先である、プリンタエンジン２９０または操作パネル３００に出力する。もし、当該出力先がプリンタエンジン２９０の場合、プリンタエンジン２９０は出力されたパスワード文字列を印刷出力する。もし、当該出力先が操作パネル３００の場合、操作パネル３００は出力されたパスワード文字列を操作パネル３００上に表示出力する。
【００３６】
（画像読み取り装置の動作）
本発明の実施形態における画像読み取り装置１１０の動作を詳細に説明する。
【００３７】
図３は、本発明の実施形態にかかる画像読み取り装置の動作処理フローを示す説明図である。
【００３８】
ステップＳ１００では、データ送信先設定部２１０は、データ送信先に加えて、暗号化データ生成時に使用する暗号化強度と、暗号化データに対するアクセス権限とを、操作パネル３００へのユーザ入力内容に基づいて設定する。
【００３９】
本実施形態では、暗号化強度として暗号方式および暗号化ビット数が設定され、アクセス制限として編集禁止や印刷禁止などが設定される。
【００４０】
ステップＳ１１０では、パスワード設定部２２０は、画像データの暗号化に使用するパスワード文字列を、操作パネル３００へのユーザ入力内容に基づいて設定する。
【００４１】
ステップＳ１２０では、パスワード通知先設定部２３０は、パスワード文字列の通知先を、操作パネル３００へのユーザ入力内容に基づいて、パスワード通知先として設定する。
【００４２】
ステップＳ１３０では、画像読み取り部２００は、原稿画像を読み取り、その原稿画像に対応する画像データを生成する。次に、暗号化データ生成部２４０は、パスワード設定部２２０で設定したパスワード文字列を用いて当該画像データを暗号化し、暗号化データを生成する。
【００４３】
ステップＳ１４０では、暗号化データ送信部２５０は、暗号化データ生成部２４０で生成した暗号化データをデータ送信先に送信する。
【００４４】
ステップＳ１５０では、パスワード通知部２６０は、パスワード設定部２２０で設定したパスワード文字列をパスワード通知先（本実施形態では、ＳＭＴＰサーバ１４０、ＳＳＬサーバ１５０、またはパスワード記憶部２７０）に通知する。
【００４５】
（パスワード設定処理フロー）
次に、ステップＳ１１０におけるパスワード設定処理の動作について詳細に説明する。
【００４６】
図４は、本発明の実施形態にかかるパスワード設定処理の動作フローを示す説明図である。
【００４７】
ステップＳ２００では、パスワード設定部２２０は、パスワードの設定方法として、ランダムに文字列を生成し、生成された文字列をパスワード文字列として設定する（以下、第１の設定方法と称する）、ユーザが入力した文字列をパスワード文字列として設定する（以下、第２の設定方法と称する）、のいずれかについて、パスワード設定画面からユーザの指定を受け付ける。
【００４８】
図７は、本発明の実施形態にかかるパスワード設定画面の一例を示す説明図である。当該パスワード設定画面では、暗号化データ生成時に使用する暗号化強度をパスワードの設定方法と併せて設定可能である。図７では、暗号化強度としてＡＥＳ  １２８ｂｉｔが設定され、パスワード設定方法として、ユーザ入力が設定されている。
【００４９】
ステップＳ２００では、ユーザが第１の設定方法を選択すれば、処理はＳ２２０に遷移する。また、ユーザが第２の設定方法を選択すれば、処理はＳ２１０に遷移する。
【００５０】
ステップＳ２１０では、パスワード設定部２２０は、操作パネル３００から、画像データの暗号化に使用されるパスワード文字列のユーザ入力を受け付ける。
【００５１】
ステップＳ２２０では、パスワード設定部２２０は、操作パネル３００から、パスワード文字列長のユーザ入力を受け付ける。
【００５２】
ステップＳ２３０では、パスワード設定部２２０は、当該パスワード文字列長の文字列をランダムに生成し、生成された当該文字列をパスワード文字列として設定する。
【００５３】
（パスワード通知方法の決定処理動作）
次に、ステップＳ１２０におけるパスワード通知方法の決定処理動作について詳細に説明する。
【００５４】
図５は、本発明の実施形態にかかるパスワード通知方法の決定処理の動作フローを示す説明図である。
【００５５】
ステップＳ３００では、パスワード通知先設定部２３０は、パスワードの通知先として、パスワード記憶部（以下、第１の通知先と称する）、指定宛先（以下、第２の通知先と称する）、パスワード記憶部ならびに指定宛先（以下、第３の通知先と称する）、のいずれかについて、操作パネル３００を介してユーザの指定を受け付ける。
【００５６】
ステップＳ３１０では、ステップＳ３００でのユーザの指定が第２の通知先または第３の通知先であれば処理はステップＳ３２０に遷移し、ステップＳ３００でのユーザの選択が第１の通知先であればパスワード通知方法の決定処理は終了する。
【００５７】
ステップＳ３２０では、パスワード通知先設定部２３０は、操作パネル３００から、パスワード文字列の転送宛先を受け付ける。このとき、暗号化データ送信先が電子メールアドレスの場合、パスワード文字列の転送宛先に当該電子メールアドレスを設定する。
【００５８】
（パスワード通知処理動作）
次に、ステップＳ１５０におけるパスワード通知処理の動作について詳細に説明する。
【００５９】
図６は、本発明の実施形態にかかるパスワード通知処理の動作フローを示す説明図である。
【００６０】
ステップＳ４００では、パスワード文字列の指定宛先への転送指示があるか否かの判定を行う。もし、指定宛先への転送指示があれば処理はステップＳ４１０に遷移する。もし、指定宛先への転送指示がなければ処理はステップＳ４４０に遷移する。
【００６１】
ステップＳ４１０では、パスワード通知部２６０は、パスワード文字列を指定宛先へ転送する。このとき、パスワード通知部２６０は、パスワード文字列の機密性保護や漏洩防止のために、当該パスワード文字列に対して暗号化処理を施す。
【００６２】
例えば、電子証明書を用いた暗号化メール（Ｓ／ＭＩＭＥ（ＳｅｃｕｒｅＭＩＭＥ））をＳＭＴＰサーバ１４０に送信したり、ＳＳＬ通信によってパスワード文字列をＳＳＬサーバ１５０に送信することが挙げられる。
【００６３】
また、パスワード通知部２６０は、当該パスワード文字列とともに、少なくとも当該パスワード文字列に対応する暗号化データの送信先、暗号化データのファイル名称を示す情報をパスワード通知先に転送する。
【００６４】
ステップＳ４２０では、パスワード通知部２６０は、ステップＳ４１０における指定宛先への転送が成功したか否かの判定を行う。もし、当該判定結果が成功の場合、処理はステップＳ４３０へ遷移する。もし、当該判定結果が失敗の場合、処理はステップＳ４４０へ遷移する。
【００６５】
ステップＳ４３０では、パスワード文字列のパスワード記憶部２７０への格納指示があるか否かを判定する。もし、当該判定結果が指示ありの場合、処理はステップＳ４４０へ遷移する。もし、当該判定結果が指示なしの場合、パスワード通知処理は終了する。
【００６６】
ステップＳ４４０では、パスワード通知部２６０は、パスワード文字列をパスワード記憶部２７０に格納する。このとき、パスワード文字列は情報保護のため、原稿の読み取り要求（以下、ジョブと称する）を発生させたユーザ（以下、オーナーユーザと称する）以外からの参照が不可能な領域に格納される。
【００６７】
当該領域に格納されたパスワード文字列を参照するには、パスワード記憶部に対するユーザ認証が必要である。つまり、オーナーユーザのみが、そのオーナーユーザが過去に実施した画像データの暗号化処理のパスワード文字列を参照可能である。
【００６８】
（パスワード出力処理）
以下、画像読み取り装置が、パスワード文字列を出力する処理について説明する。
【００６９】
まず、ユーザは、過去のジョブ履歴を確認するために、画像読み取り装置にログインするために所定のログインユーザおよびログインパスワードを操作パネル３００に入力する。そして、操作パネル３００は、当該ログインユーザに対するログインパスワードが正しければ、当該ユーザに対応する過去のジョブ履歴一覧画面を表示出力する。
【００７０】
つぎに、ユーザは、上記ジョブ履歴一覧画面を参照して、詳細確認したいジョブ履歴を操作パネルから選択する。そして、操作パネル３００は、パスワード文字列出力部２８０に当該ジョブ履歴の出力要求を送信する。
【００７１】
つぎに、パスワード文字列出力部２８０は、パスワード記憶部２７０に保存されている当該パスワード文字列を含んだ当該ジョブ履歴情報を取得する。そして、パスワード文字列出力部２８０は、取得した当該ジョブ履歴情報を操作パネル３００に送信する。
【００７２】
最後に、操作パネル３００は、パスワード文字列出力部２８０から送信された当該ジョブ履歴情報を表示出力する。よって、ユーザは、当該ジョブ履歴情報を参照することで当該パスワード文字列を確認することができる。
【００７３】
図８は、操作パネル３００が、パスワード文字列に対応するジョブの履歴情報を表示出力した、ジョブ履歴画面を示す。
【００７４】
図８において、項目「ジョブ」は、ジョブの名称であり、例えば、図８の「ＳｃａｎＴｏＦＴＰ」は、原稿画像を読み取り、その原稿画像に対応する暗号化データを生成し、その暗号化データをＦＴＰサーバに転送した旨を示す。項目「時刻」は、暗号化データ送信部２５０が暗号化データをデータ送信先に送信した年月日時分を示す。
【００７５】
図８において、項目「転送先」は、暗号化データが格納されている装置のＩＰアドレスを示し、項目「転送先パス」は、暗号化データが格納されているディレクトリパスを示す。
【００７６】
図８において、項目「ログインユーザ」は、暗号化データの送信時に、データ送信先のログイン認証に使用するユーザの名称を示す。また、項目「ログインＰａｓｓｗｏｒｄ」は、同じく暗号化データの送信時に、データ送信先のログイン認証に使用するパスワードを示す。
【００７７】
図８において、項目「フォーマット」は、画像データのファイル拡張子名を示す。また、項目「転送ファイル名」は、画像データのファイル名称を示す。
【００７８】
図８において、項目「暗号化」は、画像読み取り装置が画像データをデータ送信先に送信する前に当該画像データに対して暗号化処理を実施したか否かを示す。また、項目「パスワード」は、暗号化データを生成した場合、当該暗号化データの復号化に必要なパスワードを示す。
【００７９】
また、図８のジョブ履歴画面において、オーナーユーザからのプリント要求（図８の「パスワードのプリント」ボタン押下時に発生）が発生した場合、パスワード文字列出力部２８０は、パスワード文字列をプリンタエンジン２９０を介して印刷出力する。
【００８０】
（暗号化データ復号化手段）
データ送信先に送信された暗号化データをユーザが復号化する手段について説明する。
【００８１】
ユーザは、指定宛先に通知されたメールまたは図８に示すジョブ履歴画面、に記載された項目「転送先」を参照することで、暗号化データが格納されている装置のＩＰアドレスを確認でき、項目「転送先パス」を参照することで暗号化データが格納されているディレクトリパスを確認できる。また、ユーザは、項目「転送ファイル名」を参照することで画像データのファイル名称を確認でき、項目「パスワード」を参照することで当該暗号化データの復号化に必要なパスワードを確認することができる。
【００８２】
そして、ユーザは、上記項目「ログインユーザ」、「ログインＰａｓｓＷｏｒｄ」、「転送先」、「転送先パス」、および「転送ファイル名」の情報に基づいて暗号化データの格納されているフォルダ内にアクセスし、当該暗号化データを開く。すると、パスワード文字列を入力する画面が表示されるので、ユーザは、項目「パスワード」を参照して確認したパスワード文字列を入力する。もし、当該ユーザが入力したパスワード文字列が、パスワード設定部で設定された文字列に等しければ、当該暗号化データは復号化される。
【００８３】
（本実施形態の効果）
以上説明したように本実施形態の画像読み取り装置は、原稿画像を読み取り、原稿画像に対応する画像データを生成する。また、画像読み取り装置は、画像データの送信先をデータ送信先として設定し、画像データの暗号化に使用するパスワード文字列を設定し、パスワード文字列の通知先をパスワード通知先として設定する。
【００８４】
画像読取装置は、パスワード文字列を用いて画像データを暗号化し、暗号化データを生成する。そして、画像読み取り装置は、暗号化データをデータ送信先に送信し、パスワード文字列を上記パスワード通知先に通知する。
【００８５】
すなわち、上記画像読み取り装置は、暗号化データをデータ送信先に送信する際、当該暗号化データの生成に用いたパスワード文字列をパスワード通知先に通知する。
【００８６】
その結果、ユーザは、従来当該パスワード文字列を別途通知していた手間を減らすことができる。
【００８７】
また、ランダムに生成された文字列を、画像データを暗号化する際に用いるパスワード文字列として利用することで、ユーザの意図しないパスワード入力ミスを防ぎ、また、ユーザのパスワード入力の手間を省くことができる。
【００８８】
また、データ送信先設定部は、データ送信先に加えて、暗号化データ生成時に使用する暗号化強度と、当該暗号化データに対するアクセス制限とを設定することも可能なので、ユーザは、当該暗号化データの重要性に応じた暗号化設定を行うことができる。
【００８９】
また、パスワード通知部は、パスワード文字列をパスワード通知先に通知する前に当該パスワード文字列に対して暗号化処理を行うので、パスワード通知処理における機密保護性を向上させることができる。
【００９０】
また、画像読み取り装置は、データ送信先が電子メールアドレスの場合、パスワード文字列と暗号化データを合わせて当該データ送信先（例えば、ＰＣ（Ｐｅｒｓｏｎａｌ  Ｃｏｍｐｕｔｅｒ）クライアント）に送信することもできる。その結果、ユーザは、自分のＰＣクライアントにおいて、当該パスワード文字列を用いて、そのパスワード文字列と合わせて送信された暗号化データを復号化することができる。
【００９１】
また、画像読み取り装置は、画像データの暗号化処理に使用したパスワード文字列を保管（指定宛先への転送、パスワード記憶部に格納、のうち少なくとも一方）することができる。その結果、ユーザは、当該パスワード文字列を忘れた場合でも、その保管先を参照することで当該パスワード文字列を確認することができる。
【００９２】
また、パスワード通知部は、パスワード文字列の指定宛先への転送を失敗した場合、当該パスワード文字列をパスワード記憶部に格納する。その結果、パスワード文字列の転送失敗時に当該パスワード文字列を失うリスクを回避できる。
【００９３】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００９４】
【図１】本発明の実施形態にかかる画像読み取りシステムの構成を示す説明図である。
【図２】本発明の実施形態にかかる画像読み取り装置の構成を示す説明図である。
【図３】本発明の実施形態にかかる画像読み取り装置の動作処理フローを示す説明図である。
【図４】本発明の実施形態にかかるパスワード設定処理の動作フローを示す説明図である。
【図５】本発明の実施形態にかかるパスワード通知方法決定処理の動作フローを示す説明図である。
【図６】本発明の実施形態にかかるパスワード通知処理の動作フローを示す説明図である。
【図７】本発明の実施形態にかかるパスワード設定画面の一例を示す説明図である。
【図８】本発明の実施形態にかかるジョブ履歴画面の一例を示す説明図である。
【符号の説明】
【００９５】
１０  画像読み取りシステム、１００  原稿画像、１１０  画像読み取り装置、１２０  パスワード文字列、１３０  暗号化データ、２００  画像読み取り部、２１０  データ送信先設定部、２２０  パスワード設定部、２３０  パスワード通知先設定部、２４０  暗号化データ生成部、２５０  暗号化データ送信部、２６０  パスワード通知部、２７０  パスワード記憶部、２８０  パスワード文字列出力部。
【図１】
2007235716.tif 000003
【図２】
2007235716.tif 000004
【図３】
2007235716.tif 000005
【図４】
2007235716.tif 000006
【図５】
2007235716.tif 000007
【図６】
2007235716.tif 000008
【図７】
2007235716.tif 000009
【図８】
2007235716.tif 000010